(57)【要約】【課題】本発明は釣り靴に係り、歩行時の釣り靴の撓りを確保しつつ下からの突き上げによる不快感を解消し、併せて足の指先の感覚を損なうことのない釣り靴を提供することを目的とする。【解決手段】請求項１に係る発明は、靴本体の底部に、ゴム製のミッドソールと滑り止め用のフェルト底を積層した釣り靴に於て、足の土踏まずの前側の前記ミッドソールに、つま先側先端と周縁部を残して該つま先側先端や周縁部に比し硬い硬質部を設けたことを特徴とする。そして、請求項２に係る発明は、請求項１に記載の釣り靴に於て、前記硬質部に、足の屈曲用の溝を設けたことを特徴とする。【選択図】    図３
2009172161.tif 000002
【特許請求の範囲】
【請求項１】
靴本体の底部に、ゴム製のミッドソールと滑り止め用のフェルト底を積層した釣り靴に於て、
足の土踏まずの前側の前記ミッドソールに、つま先側先端と周縁部を残して該つま先側先端や周縁部に比し硬い硬質部を設けたことを特徴とする釣り靴。
【請求項２】
前記硬質部に、足の屈曲用の溝を設けたことを特徴とする請求項１に記載の釣り靴。
【発明の詳細な説明】
【技術分野】
【０００１】
本発明は、靴底に滑り止め用のフェルト底を用いた釣り靴に関する。
【背景技術】
【０００２】
特許文献１及び特許文献２に開示されるように、従来、川釣りや渓流釣りでは、苔岩や川床での滑り止めのため、靴底にフェルト底を用いた釣り靴が広く使用されている。
【０００３】
フェルトは、合成樹脂繊維やヒツジ，ラクダ等の動物の毛のかたまりを薄く板状に繰り返し押し固めて作られたもので、フェルト底はクッション性に優れ、また、撓りがあって高い滑り止め効果が得られる。このため、川釣りや渓流釣りでは、靴本体の底部にゴム製のミッドソールとフェルト底を積層した釣り靴が使用されている。
【特許文献１】実開昭６３−３８８０１号公報
【特許文献２】特開２００４−１６００６４号公報
【発明の開示】
【発明が解決しようとする課題】
【０００４】
しかし、フェルト底はクッション性に優れるとはいえ、川底の尖った岩等を踏みつけると下からの突き上げが不快で、また、フェルトは摩擦に弱く、長期に亘る使用で摩耗が進むと、下からの突き上げで足の裏が痛いといった不具合が指摘されている。
【０００５】
特に釣りは前体重、即ち、足の土踏まずの前側（つま先側）に体重をかけていることが多く、下からの突き上げで土踏まずの前側が痛いのが実情であった。
【０００６】
本発明は斯かる実情に鑑み案出されたもので、歩行時の釣り靴の撓りを確保しつつ下からの突き上げによる不快感を解消し、併せて足の指先の感覚を損なうことのない釣り靴を提供することを目的とする。
【課題を解決するための手段】
【０００７】
斯かる目的を達成するため、請求項１に係る発明は、靴本体の底部に、ゴム製のミッドソールと滑り止め用のフェルト底を積層した釣り靴に於て、足の土踏まずの前側の前記ミッドソールに、つま先側先端と周縁部を残して該つま先側先端や周縁部に比し硬い硬質部を設けたことを特徴とする。
【０００８】
そして、請求項２に係る発明は、請求項１に記載の釣り靴に於て、前記硬質部に、足の屈曲用の溝を設けたことを特徴とする。
【発明の効果】
【０００９】
請求項１に係る発明によれば、ミッドソールとフェルト底の撓りを確保しつつ下からの突き上げによる不快感を解消することができると共に、足の指先の感覚を損なう虞のない釣り靴を提供することが可能となった。
【００１０】
そして、請求項２に係る発明によれば、硬質部に屈曲用の溝を設けた結果、足が屈曲し易い利点を有する。
【発明を実施するための最良の形態】
【００１１】
以下、本発明の実施形態を図面に基づいて詳細に説明する。
【００１２】
図１及び図２は請求項１及び請求項２の第一実施形態に係る釣り靴を示し、本実施形態に係る釣り靴１は、靴本体３と、該靴本体３のつま先側から側周面に亘って取り付く補強シート（補強ゴム）５と、靴本体３の底部に取り付くゴム製のミッドソール７と、該ミッドソール７の底部に取り付く天然繊維や合成樹脂繊維を加圧して板状に形成したフェルト底９とで構成されている。
【００１３】
尚、前記釣り靴１は右足用のもので、該釣り靴１と左右対称に形成された左足用の釣り靴（図示せず）とで本実施形態に係る釣り靴が構成されるが、説明を簡略化するため、本明細書では右足用の釣り靴１について説明する。
【００１４】
図１及び図２に示すように前記靴本体３は、非透水性で伸縮自在なクロロプレーンゴムシートの両面に伸縮自在なナイロン繊維等の織布を添着して足袋状に形成したもので、常に足にぴったり密着した状態となるように形成されている。そして、その側部にサイドファスナ１１が足の出入れ口１３から踝方向へ縫着され、また、靴本体３のつま先側から側周面に亘り薄肉な補強シート５が表面に貼着されて靴本体３の補強が図られている。
【００１５】
一方、図１乃至図３に示すように前記ミッドソール７は、従来と同様、周縁に立ち上がり部１５が延設されたカップソールタイプで、一例として天然ゴムやウレタンゴム等の合成ゴムで形成されている。そして、前記立ち上がり部１５で囲繞されたミッドソール７の上面に、平面視正方形状，平面視矩形状，平面視三角形状等からなる複数の独立したブロック状の突起１７が、釣り靴１の前後左右方向に互いに間隙を有し、夫々の突起１７が独立して撓むように並設されており、図２に示すように突起１７はミッドソール７の踵側へと順次肉厚に形成されている。
【００１６】
そして、図２及び図３に示すように本実施形態は、上述の如き構成に加え、足１９の土踏まず（図示せず）の前側のミッドソール７に、つま先側先端２１と左右両側の周縁部２３を残して該つま先側先端２１や周縁部２３に比し硬い材料からなる硬質部２５を設けると共に、該硬質部２５に足１９の屈曲用の溝２７，２９を設けたものである。
【００１７】
前記硬質部２５は、平面視でその輪郭がミッドソール７の外周形状に沿って形成され、ミッドソール７を天然ゴムとし、硬質部２５をこれより硬度の高いウレタンゴムとしたり、両者共に同種の材料（例えばウレタンゴム）とし、硬質部２５をミッドソール７より高硬度の材料を用いてもよい（硬度はＪＩＳ Ｋ ６２５３の試験方法による）。
【００１８】
而して、前記硬質部２５は平面視略おむすび状のプレートからなり、ミッドソール７の上面に設けた凹状の収納部３１内に該上面と面一に固着されている。そして、図３に示すように釣り靴１を履いた足１９の指先の感覚を損なうことがないように、硬質部２５はミッドソール７のつま先側先端２１と周縁部２３を残して平面視でミッドソール７より小さく形成されている。
【００１９】
そして、硬質部２５の夫々前後に、足１９の親指３３と人差し指３５との隙間３７に沿って夫々硬質部２５の外周に開口し、中央側に向かって延びる溝２７が設けられており、硬質部２５の前側に溝２７を設けることで、親指３３と人差し指３５が上下方向に自在に動いて足１９のつま先に力をかけ易く、また、硬質部２５の後側に溝２７を設けることで、ミッドソール７の左右の上下方向の撓みに支障を来すことがないようになっている。
【００２０】
更に、硬質部２５の左右方向に夫々２本づつ、４本の溝２９が設けられており、斯様に複数本の溝２７を硬質部２５の左右方向に設けることで、つま先を曲げたときに硬質部２５がミッドソール７の撓みに支障を来すことがなく、実釣時に足１９の甲部の屈曲に追従してミッドソール７が撓み易くなっている。
【００２１】
而して、ミッドソール７への硬質部２５の取付けは、先ず、上面に前記突起１７と凹部３１を有するミッドソール７を製造する。この後、該凹部３１内にこれよりも厚肉な硬質部形成部材を収納して、熱をかけ乍ら該硬質部形成部材を上方からプレスすることで、上面と面一な前記硬質部２５を凹部３１内に固着する。そして、斯様に形成したミッドソール７の立ち上がり部１５内に前記靴本体３を収納，配置した後、熱をかけてこれらを加硫することで、立ち上がり部１５の内周と該立ち上がり部１５で囲繞されたミッドソール７の上面（突起１７の上面）に靴本体３が溶着される。尚、靴本体３の側周面は、前記補強シート５を介して立ち上がり部１５に溶着されている。
【００２２】
そして、ミッドソール７の底部に、従来と同様、１．０〜２．０ｃｍ程の厚みのフェルト底９が取り付けられており、フェルト底９はミッドソール７の底部との間にゴム板を挟み、これを加硫することでミッドソール７の底部に溶着固定されている。尚、接着剤を用いてミッドソール７の底部にフェルト底９を接着してもよい。
【００２３】
また、図２及び図３に示すように、前記硬質部２５の略中央とミッドソール７に水抜き孔３９が連通して設けられており、該水抜き孔３９は前記靴本体３の底部とフェルト底９に挟まれている。
【００２４】
即ち、既述したように靴本体３の側周面は補強シート５を介して前記立ち上がり部１５に溶着されているものの、靴本体３の表面には伸縮自在なナイロン繊維等の織布が添着されているため、この織布に染み込んだ水が、補強シート５と靴本体３の間から靴本体３の底部に染み出して、ミッドソール７との間に溜まってしまうことがある。
【００２５】
このため、前記水抜き孔４１は、靴本体３の底部とミッドソール７との間に染み出した水を、フェルト底９を通して外部に排水させるためのものである。
【００２６】
本実施形態に係る釣り靴１はこのように構成されており、釣り靴１を履くには、前記サイドファスナ１１を操作して釣り靴１の出入れ口１３を広げればよい。
【００２７】
而して、ミッドソール７の上面に設けられた突起１７は、夫々、独立した構造でミッドソール７やフェルト底９の撓りを損なうものではないため、フェルト底９が十分に撓って苔岩や川床での滑りを防止する。
【００２８】
また、既述したように従来、川底の尖った岩等を踏みつけると、フェルト底を通して下からの突き上げがあったが、本実施形態によれば、ミッドソール７に設けた硬質部２５が突き上げによる足１９の痛みを防ぎ、更に、前記突起１７が下からの突き上げを緩和して足１９の痛みを防止する。
【００２９】
而も、既述したように硬質部２５は、ミッドソール７のつま先側先端２１と周縁部２３を残しているため、足１９の指先の感覚を損なうことがなく、また、硬質部２５の前側に前記溝２７を設けた結果、親指３３と人差し指３５を上下方向に自在に動かすことができて足１９のつま先に力がかけ易くなる。
【００３０】
更に、硬質部２５の後側に溝２７を設けると共に、硬質部２５の左右方向に４本の溝２９を設けたため、ミッドソール７の撓みに硬質部２５が支障を来すことがなく、実釣時に足１９の甲部の屈曲等に追従してミッドソール７が容易に撓むこととなる。
【００３１】
そして、靴本体３の表面の織布に染み込んだ水が補強シート５と靴本体３の間から靴本体３の底部に染み出すが、靴本体３の底部とミッドソール７との間に水が溜まることなく水抜き孔３９からフェルト底９を通して排水される。
【００３２】
このように、本実施形態によれば、ミッドソール７とフェルト底９（釣り靴１）の撓りを確保しつつ下からの突き上げによる不快感を解消することができると共に、足１９の指先の感覚を損なう虞のない釣り靴１を提供することが可能となった。
【００３３】
また、屈曲用の溝２７，２９を設けた結果、硬質部２５が親指３３と人差し指３５の動き（屈曲）に支障を来すことがなくなるため、親指３３と人差し指３５が自在に動いて足１９のつま先に力をかけ易く、また、足１９が屈曲し易い利点を有する。
【００３４】
更に、本実施形態によれば、靴本体３の底部とミッドソール７との間に水が溜まることがない。
【００３５】
図４は請求項１及び請求項２の第二実施形態に係る釣り靴の右足用釣り靴の断面図を示し、本実施形態は、前記硬質部２５に代え、硬質部２５-1をミッドソール７-1の底面まで貫通させたことを特徴とする。
【００３６】
尚、発明部分を除く構成は前記第一実施形態と同様であるため、ここではそれらについての説明は省略し、専ら発明部分について説明する。そして、前記実施形態と同一のものは同一符号を以って表示する。
【００３７】
図示しないが本実施形態の硬質部２５-1も前記硬質部２５と同一の平面形状を有し、ミッドソール７-1のつま先側先端２１と周縁部を残してミッドソール７-1と一体に形成され、前記溝２７，２９と同一の溝が形成されている。
【００３８】
而して、本実施形態に於ける硬質部２５-1の成形は、突起１７の形成前のミッドソールの原形上に硬質部形成部材を配置した後、ミッドソールの原形全体に熱をかけ乍ら金型でプレスすることで、ミッドソール７-1を貫通する硬質部２５-1を該ミッドソール７-1に一体形成すると共に、ミッドソール７-1の上面に金型で突起１７を設けたものである。
【００３９】
而して、本実施形態に係る釣り靴１-1によっても、前記釣り靴１と同様、所期の目的を達成することが可能で、ミッドソール７-1とフェルト底９（釣り靴１-1）の撓りを確保しつつ下からの突き上げによる不快感を解消することができると共に、足の指先の感覚を損なう虞のない釣り靴１-1を提供することが可能となった。
【００４０】
また、屈曲用の溝２７，２９を設けた結果、硬質部２５-1が親指と人差し指の動き（屈曲）に支障を来すことがなくなるため、親指と人差し指が自在に動いて足のつま先に力をかけ易く、また、足が屈曲し易い利点を有する。
【００４１】
更に、本実施形態によっても、靴本体３の底部とミッドソール７-1との間に水が溜まることがない。
【図面の簡単な説明】
【００４２】
【図１】請求項１及び請求項２の第一実施形態に係る釣り靴の右足用釣り靴の側面図である。
【図２】図１に示す釣り靴の断面図である。
【図３】ミッドソールの平面図である。
【図４】請求項１及び請求項２の第二実施形態に係る釣り靴の右足用釣り靴の断面図である。
【符号の説明】
【００４３】
１，１-1  釣り靴
３  靴本体
５  補強シート
７，７-1  ミッドソール
９  フェルト底
１１  サイドファスナ
１５  立ち上がり部
１７  突起
１９  足
２１  つま先側先端
２３  周縁部
２５，２５-1  硬質部
２７，２９  溝
３１  収納部
３３  親指
３５  人差し指
３９  水抜き孔
【図１】
2009172161.tif 000003
【図２】
2009172161.tif 000004
【図３】
2009172161.tif 000005
【図４】
2009172161.tif 000006